(57)【要約】【課題】履き物を履き替えるとき履き物は、一般的には進行方向と反対の向きになっていることが多く、履き物の向きを変えるか身体を反転させ後ろ向きになり履き変えるか屈んで履き物の向きを変える事になる。履き物の向きを変えるのは身体機能の低下した高齢者や要介護者、健常者を問わず多くの労力が要求されるので、これらを解消する電動式履き物向き変え装置を提供する。【解決手段】本装置は、筐体１上部平面上に段差が殆ど無く設置された円盤状のターンテーブル２とターンテーブルを駆動するモータ１１とモータの回転を高減速比で低速化する減速ギアボックス１１、回転終端検知マイクロスイッチ６、モータ駆動用電源のバッテリー１４，バッテリーホルダー１４、電源極性反転用トグルスイッチ、ターンテーブル回転動作指示スイッチ１６（踏むか手で押圧する事により必要に応じて履き物の向きを変える動作を指示する。）により必要に応じて履き物の向きを１８０°回転させる。【選択図】図１
0003153832.tif 000002
【実用新案登録請求の範囲】
【請求項１】
筺体上部平面上に設置された円盤状のターンテーブルと、ターンテーブルを駆動するモータと、前期ターンテーブルの回転動作を指示するターンテーブル回転動作指示スイッチと、前期ターンテーブルの所定の回転を検知する回転終端検知マイクロスイッチと、モータ駆動用電源バッテリーとを備え、履き物の向きを１８０°変える動作を指示する電動式履き物向き変え装置。
【請求項２】
前期ターンテーブルが、前期筺体上部平面上に略面一に設置されていることを特徴とする請求項１に記載の電動式履き物向き変え装置。
【考案の詳細な説明】
【技術分野】
【０００１】本考案は、履き物の向きを１８０°方向転換する電動式履き物向き変え装置に関するものである。
【背景技術】
【０００２】  日常生活の中で履き物を履き変える場面は多い。例えば屋内から屋外へ、屋外から屋内へ、屋内での移動など日常生活の中で履き物を履き変える場面は多い。このとき履き物の向きが進行方向と反対になっていることも多く、その場合に履き物の向きを反転させるのに伴う動作は、高齢者や要介護者、健常者でも両手が使えないとき行動の流れを阻害したり身体的苦痛を伴う。
【先行技術文献】
【特許文献】
【０００３】
【特許文献１】特開２００５−２２４２９６号公報
【特許文献２】実開平６−７０６８１号公報
【特許文献３】実開平７−３４７８０号公報
【特許文献４】実用新案登録第３０７１４２０号公報
【考案の概要】
【考案が解決しようとする課題】
【０００４】特開２００５−２２４２９６号には回転台に人が乗ったことを検知し、加重が除かれたとき一定時間後に回転台を１８０°回転させる技術が開示されている。【０００５】実開平６−７０６８１号にはターンテーブル上に履き物が脱がれた後、所定時間後に自動的にその履き物の向きを１８０°回転させる技術が開示されている。【０００６】実開平７−３４７８０号には脱いだ履き物を５秒以内に１８０°回転させる技術が開示されている。【０００７】実用新案登録第３０７１４２０号には人間の体重を利用しスプリングの弾性により駆動系を介して回転台を１８０°回転させる技術が開示されている。【０００８】    これらの先行技術は、ターンテーブル（回転台）を回転させる機構を付加し、履き物の向きを変える動作をタイマーにより、あるいは体重などを検知し自動的に回転するもので、使用者の必要に応じた任意の意志による操作法はとられていない。本考案は使用者の任意の意志により必要に応じて履き物の向きを変えることができる電動式履き物向き変え装置を提供することを目的とする。
【課題を解決するための手段】
【０００９】  本装置は、筐体上部平面上に段差が殆ど無く設置された円盤状のターンテーブルと、ターンテーブルを駆動するモータと、モータの回転を低速化する減速ギアボックスと、回転終端検知マイクロスイッチと、モータ駆動用電源のバッテリー及びバッテリーホルダーと、ターンテーブル回転指示スイッチとから構成されている。かかる構成により屋内から屋外へ、屋外から屋内へ、屋内での移動など日常生活の中で履き物を履きかえる場面は多いが、使用者の任意的な意思により自由に履き物の向きを１８０°転換することができ、身体的苦痛を伴う不自由な動作を解消するとともに、商用電源を使用しないために、どこにでも持ち運びが出来て便利である。
【考案の効果】
【００１０】  本装置は、身体機能が低下した高齢者や要介護者、健常者でも両手が使えないときなど行動の流れを阻害したり身体的苦痛を伴う不自由な動作を解消し使用者の意志により安全に使用する事が出来るとともに持ち運びに便利である。
【実施例】
【００１１】図１はこの装置の平面透視図、図２は本装置の一部切断側面の断面図である。図１においてターンテーブル２と駆動部１３を収納するボックス状の筐体１を備え上面にターンテーブル２が収納できる円形の穴が設けられ、この穴にターンテーブル２が嵌め込まれている。ターンテーブル２の下部にはターンテーブル２とターンテーブル保持台２−１の間にボール８を介してのせられ円滑に回転するよう前記ターンテーブル２が設置されている。図２は装置の内部構造の一部断面図で、駆動部であるモータとギアボックス１１が設置され、ギアボックス１１に内蔵されたギアにより高減速比による減速機構を構成することによりモータ以外の外力によるターンテーブル２の不用意な回転を防止している。【００１２】ターンテーブル２の回転中心軸１３の垂線上にギアボックス１１を介した出力軸１３を配置し出力軸１３にはターンテーブル回転駆動バー５、電源の極性切替バー１２が設置されている。【００１３】ターンテーブル回転駆動バー５にはターンテーブルの回転終端検知レバー付マイクロスイッチ操作端子４を備え、ターンテーブルの回転終端（１８０°）を検知し回転終端検知マイクロスイッチ６のレバーを押し電源を切断する。【００１４】ターンテーブル回転駆動バー５が設置された駆動機構部作動用回転軸１３の反対側には電源極性反転切替バー１２が設置され回転終端検知マイクロスイッチ６の電源切断と連動してトグルスイッチ９のレバーを操作し電源の極性を反転させる。【００１５】履き物の向きを反転させるためのターンテーブル回転操作スイッチ１６を押圧することにより基板１６−６が変形（図４（Ｂ）参照）して導電性薄膜銅箔１６−５が接触通電し電源を切断している方のマイクロスイッチ６をＯＮにすることにより履き物を搭載したターンテーブル２を１８０°回転させ、回転終端検知マイクロスイッチ６をＯＦＦにして電源を切断し停止する。【００１６】以下回路の概要について図５を参照して説明する。
この回路は、ターンテーブル２を駆動するモータ１１と、電源１８と、電源極性反転回路１９と、回転終端検知回路２０と、ターンテーブル回転指示回路２１（図１の１６参照）、などにより構成されている。
履き物を履き替えようとする時、ターンテーブル回転操作指示スイッチ１６を押圧するとターンテーブル回転終端検知マイクロスイッチ６のＯＦＦが解除されターンテーブル２が回転動作を始動する。そしてターンテーブルが１８０°回転すると、回転終端検知マイクロスイッチ６がターンテーブル回転駆動バー５に設置されている回転終端検知スイッチ操作端子４が回転終端検知マイクロスイッチ６のレバーを押し下げ電源を遮断すると同時に電源極性反転用トグルスイッチ操作バー１２により極性反転用トグルスイッチ９のレバーを作動させ電源の極性を反転させモータの回転方向を反転させ停止し次の回転の準備に入り次の指示を待ち待機する。この動作を繰り返すことにより常時必要に応じて使用者の指示に応答することが可能となり、ターンテーブル回転操作指示スイッチ１６は回転終端検知マイクロスイッチ６のどちら側がＯＦＦになっているのかを考慮する必要が無く操作できる。
【図面の簡単な説明】
【００１７】
【図１】電動式履き物向き変え装置の平面図
【図２】電動式履き物向き変え装置の一部切断側面図
【図３】電動式履き物向き変え装置の駆動機構の拡大図
【図４】電動式履き物向き変え装置のターンテーブル回転指示スイッチの機構図
【図５】電動式履き物向き変え装置の電気回路図
【符号の説明】
【００１８】  １  筐体
２  ターンテーブル
２−１ターンテーブル保持台
３  ターンテーブル回転駆動軸
４  回転終端マイクロスイッチ操作端子
５  ターンテーブル駆動バー
６  回転終端検知マイクロスイッチ
７  回転抵抗軽減ボール作動溝
８  回転抵抗軽減ボール
９  電源極性反転用トグルスイッチ
１０  機構部品及びターンテーブル支持用部品
１１  駆動用モータ及び減速用ギヤボックスハウジング
１２  電源極性反転用トグルスイッチ操作バー
１３  駆動機構部作動用回転軸
１４  電池及び電池ホルダー
１５  ターンテーブル回転操作指示スイッチと本体電源機構とを接続するリモートケーブル
１６  ターンテーブル回転操作指示スイッチ
１６−１  リード線
１６−２  リード線
１６−３  リード線
１６−４  リード線
１６−５  導電性薄膜銅箔
１６−６  配線用ベース基板（エポキシ樹脂）
１６−７  絶縁材
１７  直流モータ（図１の１１参照）
１８  バッテリー（図１の１４参照）
１９  極性反転用２回路２接点トグルスイッチ（図１の９参照）
２０  回転終端検知マイクロスイッチ（図１の６参照）
２１  ターンテーブル回転指示スイッチ（図１の１６参照）
【図１】
0003153832.tif 000003
【図２】
0003153832.tif 000004
【図３】
0003153832.tif 000005
【図４】
0003153832.tif 000006
【図５】
0003153832.tif 000007
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
筐体上部平面上に設置された円盤状のターンテーブルーと、ターンテーブルを駆動するモータと、前記ターンテーブルの回転動作を指示するターンテーブル回転動作指示スイッチと、前記ターンテーブルの所定の回転を検知する回転終端検知マイクロスイッチと、モータ駆動用電源のバッテリーとを備え、履き物の向きを１８０°変える動作を指示する電動式履き物向き変え装置。
【請求項２】
前記ターンテーブルが、前記筐体上部平面上に、略面一に設置されていることを特徴とする電動式履き物向き変え装置。